【手続補正書】
【提出日】平成16年11月4日(2004.11.4)
【手続補正１】
【補正対象書類名】明細書
【補正対象項目名】００７１
【補正方法】変更
【補正の内容】
【００７１】
まず、書き込み期間Ｔａが開始されると、ゲート信号線Ｇ１＿１に入力される信号（選択信号）によって、ゲート信号線Ｇ１＿１が選択される。なお本明細書において信号線が選択されるとは、該信号線にゲート電極が接続されたＴＦＴが全てオンになることを意味する。ゲート信号線Ｇ１＿１が選択されると、ゲート信号線Ｇ１＿１にゲート電極が接続された全ての第１スイッチング用ＴＦＴ１０１＿１がオンになる。
【手続補正２】
【補正対象書類名】明細書
【補正対象項目名】００８７
【補正方法】変更
【補正の内容】
【００８７】
また表１とは逆に、表２に示す動作を行う回路であっても良い。
【手続補正３】
【補正対象書類名】明細書
【補正対象項目名】０１９１
【補正方法】変更
【補正の内容】
【０１９１】
一方、耐熱性導電層９０７にＴａ膜を用いる場合には、同様にスパッタ法で形成することが可能である。Ｔａ膜はスパッタガスにＡｒを用いる。また、スパッタ時のガス中に適量のＸｅやＫｒを加えておくと、形成する膜の内部応力を緩和して膜の剥離を防止することができる。α相のＴａ膜の抵抗率は２０μΩｃｍ程度でありゲート電極に使用することができるが、β相のＴａ膜の抵抗率は１８０μΩｃｍ程度でありゲート電極とするには不向きであった。ＴａＮ膜はα相に近い結晶構造を持つので、Ｔａ膜の下地にＴａＮ膜を形成すればα相のＴａ膜が容易に得られる。また、図示しないが、耐熱性導電層９０７の下に２〜２０ｎｍ程度の厚さでリン（Ｐ）をドープしたシリコン膜を形成しておくことは有効である。これにより、その上に形成される導電膜の密着性向上と酸化防止を図ると同時に、耐熱性導電層９０７が微量に含有するアルカリ金属元素が第１の形状のゲート絶縁膜９０６に拡散するのを防ぐことができる。いずれにしても、耐熱性導電層９０７は抵抗率を１０〜５０μΩｃｍの範囲とすることが好ましい。
【手続補正４】
【補正対象書類名】明細書
【補正対象項目名】０２０９
【補正方法】変更
【補正の内容】
【０２０９】
本実施例では、第３の層間絶縁膜９４９の厚さを１μｍ程度とし、開口部は画素電極９４７に近くなればなるほど広くなる、所謂逆テーパー状になるように形成する。これはレジストを成膜した後、開口部を形成しようとする部分以外をマスクで覆い、ＵＶ光を照射して露光し、露光された部分を現像液で除去することによって形成される。また、第３の層間絶縁膜９４９は、次に形成する発光層等の有機化合物層が画素電極９４７の端部に直接触れないようにする目的もある。
【手続補正５】
【補正対象書類名】図面
【補正対象項目名】図２
【補正方法】変更
【補正の内容】
【図２】
2002278499.tif 000001
【手続補正６】
【補正対象書類名】明細書
【補正対象項目名】特許請求の範囲
【補正方法】変更
【補正の内容】
【特許請求の範囲】
【請求項１】
発光素子と、デジタルビデオ信号を記憶する手段と、前記記憶されたデジタルビデオ信号が有する画像情報に基づいて前記発光素子の発光する期間を定める手段とを、画素内に有することを特徴とする発光装置。
【請求項２】
発光素子と、デジタルビデオ信号を記憶する手段と、前記記憶されたデジタルビデオ信号が有する画像情報に基づいて前記発光素子の発光する期間を定める手段とを画素内に有する発光装置であって、
前記発光素子が発光する期間は、１フレーム期間において連続して出現することを特徴とする発光装置。
【請求項３】
発光素子と、デジタルビデオ信号を記憶する手段と、前記記憶されたデジタルビデオ信号が有する画像情報に基づいて前記発光素子の発光する期間を定める手段と、前記発光素子に供給される電流を制御するトランジスタとを画素内に有する発光装置であって、
前記トランジスタがオンとなり前記発光素子が発光する期間が、１フレーム期間において連続して出現することを特徴とする発光装置。
【請求項４】
請求項１乃至３のいずれか一において、
連続して出現するフレーム期間では、前記発光素子が発光する期間が続けて出現しないことを特徴とする発光装置。
【請求項５】
発光素子と、
前記発光素子に供給される電流を制御するトランジスタと、
ｎビットのデジタルビデオ信号が書き込まれるｎ個の第１メモリと、
前記ｎビットのデジタルビデオ信号を、それぞれ記憶するｎ個の第２メモリと、
周波数の異なるｎ個のカウンタ信号を同時に出力するカウンタ回路と、
前記ｎ個の第２メモリに記憶されているｎビットのデジタルビデオ信号と、前記周波数の異なるｎ個のカウンタ信号とが一致するまでの期間、前記トランジスタをオンにする信号が生成される信号生成部と、
を有する画素が複数備えられていることを特徴とする発光装置。
【請求項６】
発光素子と、
前記発光素子に供給される電流を制御するトランジスタと、
ｎビットのデジタルビデオ信号が書き込まれるｎ個の第１メモリと、
前記ｎビットのデジタルビデオ信号を、それぞれ記憶するｎ個の第２メモリと、
周波数の異なるｎ個のカウンタ信号を同時に出力するカウンタ回路と、
前記周波数の異なるｎ個のカウンタ信号の出力が開始されてから、前記ｎ個の第２メモリに記憶されているｎビットのデジタルビデオ信号と、前記周波数の異なるｎ個のカウンタ信号とが一致するまでの期間、前記トランジスタをオンにする信号が生成される信号生成部と、
を有する画素が複数備えられていることを特徴とする発光装置。
【請求項７】
発光素子と、
前記発光素子に供給される電流を制御するトランジスタと、
ｎビットのデジタルビデオ信号が書き込まれるｎ個の第１メモリと、
前記ｎビットのデジタルビデオ信号を、それぞれ記憶するｎ個の第２メモリと、
周波数の異なるｎ個のカウンタ信号を同時に出力するカウンタ回路と、
前記ｎ個の第２メモリに記憶されているｎビットのデジタルビデオ信号と、前記カウンタ回路から出力される前記周波数の異なるｎ個のカウンタ信号とによって定められる期間のみ、前記トランジスタをオンにする信号が生成される信号生成部と、
を有する画素が複数備えられていることを特徴とする発光装置。
【請求項８】
請求項１乃至７のいずれか一において、
前記信号生成部は、前記信号生成部に入力される前記ｎビットのデジタルビデオ信号と、前記信号生成部に入力されるｎ個のカウンタ信号とを比較し、合致するかしないか判断する第１の機能を有することを特徴とする発光装置。
【請求項９】
請求項１乃至請求項８のいずれか一において、前記第１メモリまたは前記第２メモリがＳＲＡＭであることを特徴とする発光装置。
【請求項１０】
請求項１乃至請求項９のいずれか一において、前記発光装置を有することを特徴とする電子機器。
【請求項１１】
請求項１０において、エレクトロルミネッセンス表示装置、デジタルスチルカメラ、ノート型パーソナルコンピュータ、モバイルコンピュータ、画像再生装置、ゴーグル型ディスプレイ、ビデオカメラまたは携帯電話であることを特徴とする電子機器。
【請求項１２】
第１メモリと、第２メモリと、信号生成部と、カウンタ回路と、発光素子とを有する画素が複数設けられた発光装置の駆動方法であって、
前記第１メモリに、デジタルビデオ信号が書き込まれ、
前記第１メモリに書き込まれたデジタルビデオ信号は、前記第２メモリに書き込まれ、
前記第２メモリに書き込まれたデジタルビデオ信号は、前記信号生成部に入力され、
リセット信号によって前記カウンタ回路から周波数の異なるカウンタ信号が出力され、
前記カウンタ信号は前記信号生成部に入力され、
前記信号生成部に入力されたのデジタルビデオ信号と、前記カウンタ信号とが一致する期間、前記発光素子が発光することを特徴とする発光装置の駆動方法。
【請求項１３】
ｎ個の第１メモリと、ｎ個の第２メモリと、信号生成部と、カウンタ回路と、発光素子とを有する画素が複数設けられた発光装置の駆動方法であって、
前記ｎ個の第１メモリのそれぞれに、ｎビットのデジタルビデオ信号が順に書き込まれ、
前記ｎ個の第１メモリのそれぞれに書き込まれたｎビットのデジタルビデオ信号は、前記ｎ個の第２メモリのそれぞれに一斉に書き込まれ、
前記ｎ個の第２メモリのそれぞれに書き込まれたｎビットのデジタルビデオ信号は、前記信号生成部に入力され、
リセット信号によって前記カウンタ回路から周波数の異なるｎ個のカウンタ信号の出力が開始され、
前記ｎ個のカウンタ信号は前記信号生成部に入力され、
前記ｎ個のカウンタ信号の出力が開始されてから、前記信号生成部に入力されたｎビットのデジタルビデオ信号と、前記ｎ個のカウンタ信号とが一致するまでの期間、前記発光素子が発光することを特徴とする発光装置の駆動方法。
【請求項１４】
ｎ個の第１メモリと、ｎ個の第２メモリと、ｎ個の第１スイッチング用ＴＦＴと、ｎ個の第２スイッチング用ＴＦＴと、信号生成部と、カウンタ回路と、発光素子とを有する画素が複数設けられた発光装置の駆動方法であって、
前記ｎ個の第１スイッチング用ＴＦＴが順にオンになることで、前記ｎ個の第１メモリのそれぞれに、ｎビットのデジタルビデオ信号が順に書き込まれ、
前記ｎ個の第２スイッチング用ＴＦＴが一斉にオンになることで、前記ｎ個の第１メモリのそれぞれに書き込まれたｎビットのデジタルビデオ信号は、前記ｎ個の第２メモリのそれぞれに一斉に書き込まれ、
前記ｎ個の第２メモリのそれぞれに書き込まれたｎビットのデジタルビデオ信号は、前記信号生成部に入力され、
リセット信号によって前記カウンタ回路から周波数の異なるｎ個のカウンタ信号の出力が開始され、
前記ｎ個のカウンタ信号は前記信号生成部に入力され、
前記ｎ個のカウンタ信号の出力が開始されてから、前記信号生成部に入力されたｎビットのデジタルビデオ信号と、前記ｎ個のカウンタ信号とが一致するまでの期間、前記発光素子が発光することを特徴とする発光装置の駆動方法。
【請求項１５】
ｎ個の第１メモリと、ｎ個の第２メモリと、ｎ個の第１スイッチング用ＴＦＴと、ｎ個の第２スイッチング用ＴＦＴと、信号生成部と、カウンタ回路と、電流制御用ＴＦＴと、発光素子とを有する画素が複数設けられた発光装置の駆動方法であって、
前記ｎ個の第１スイッチング用ＴＦＴが順にオンになることで、前記ｎ個の第１メモリのそれぞれに、ｎビットのデジタルビデオ信号が順に書き込まれ、
前記ｎ個の第２スイッチング用ＴＦＴが一斉にオンになることで、前記ｎ個の第１メモリのそれぞれに書き込まれたｎビットのデジタルビデオ信号は、前記ｎ個の第２メモリのそれぞれに一斉に書き込まれ、
前記ｎ個の第２メモリのそれぞれに書き込まれたｎビットのデジタルビデオ信号は、前記信号生成部に入力され、
リセット信号によって前記カウンタ回路から周波数の異なるｎ個のカウンタ信号の出力が開始され、
前記ｎ個のカウンタ信号は前記信号生成部に入力され、
前記ｎ個のカウンタ信号の出力が開始されてから、前記信号生成部に入力されたｎビットのデジタルビデオ信号と、前記ｎ個のカウンタ信号とが一致するまでの期間、前記信号生成部から出力される信号によって前記電流制御用ＴＦＴがオンになり、
前記電流制御用ＴＦＴがオンになることで、前記発光素子が発光することを特徴とする発光装置の駆動方法。
【請求項１６】
請求項１５において、前記電流制御用ＴＦＴがｎチャネル型ＴＦＴであることを特徴とする発光装置の駆動方法。
【請求項１７】
ｎ個の第１メモリと、ｎ個の第２メモリと、信号生成部と、カウンタ回路と、発光素子とを有する画素が複数設けられた発光装置の駆動方法であって、
前記ｎ個の第１メモリのそれぞれに、ｎビットのデジタルビデオ信号が順に書き込まれ、
前記ｎ個の第１メモリのそれぞれに書き込まれたｎビットのデジタルビデオ信号は、前記ｎ個の第２メモリのそれぞれに一斉に書き込まれ、
前記ｎ個の第２メモリのそれぞれに書き込まれたｎビットのデジタルビデオ信号は、前記信号生成部に入力され、
リセット信号によって前記カウンタ回路から周波数の異なるｎ個のカウンタ信号の出力が開始され、
前記ｎ個のカウンタ信号は前記信号生成部に入力され、
前記信号生成部は、前記信号生成部に入力される前記ｎビットのデジタルビデオ信号と、前記信号生成部に入力されるｎ個のカウンタ信号とを比較し、合致するかしないか判断し、
前記ｎ個のカウンタ信号の出力が開始されてから、前記信号生成部に入力されたｎビットのデジタルビデオ信号と、ｎ個のカウンタ信号とが合致するまでの期間、前記発光素子を発光させることを特徴とする発光装置の駆動方法。
【請求項１８】
ｎ個の第１メモリと、ｎ個の第２メモリと、ｎ個の第１スイッチング用ＴＦＴと、ｎ個の第２スイッチング用ＴＦＴと、信号生成部と、カウンタ回路と、発光素子とを有する画素が複数設けられた発光装置の駆動方法であって、
前記ｎ個の第１スイッチング用ＴＦＴが順にオンになることで、前記ｎ個の第１メモリのそれぞれに、ｎビットのデジタルビデオ信号が順に書き込まれ、
前記ｎ個の第２スイッチング用ＴＦＴが一斉にオンになることで、前記ｎ個の第１メモリのそれぞれに書き込まれたｎビットのデジタルビデオ信号は、前記ｎ個の第２メモリのそれぞれに一斉に書き込まれ、
前記ｎ個の第２メモリのそれぞれに書き込まれたｎビットのデジタルビデオ信号は、前記信号生成部に入力され、
リセット信号によって前記カウンタ回路から周波数の異なるｎ個のカウンタ信号の出力が開始され、
前記ｎ個のカウンタ信号は前記信号生成部に入力され、
前記信号生成部は、前記信号生成部に入力される前記ｎビットのデジタルビデオ信号と、前記信号生成部に入力されるｎ個のカウンタ信号とを比較し、合致するかしないか判断し、
前記ｎ個のカウンタ信号の出力が開始されてから、前記信号生成部に入力されたｎビットのデジタルビデオ信号と、ｎ個のカウンタ信号とが合致するまでの期間、前記発光素子を発光させることを特徴とする発光装置の駆動方法。
【請求項１９】
ｎ個の第１メモリと、ｎ個の第２メモリと、ｎ個の第１スイッチング用ＴＦＴと、ｎ個の第２スイッチング用ＴＦＴと、信号生成部と、カウンタ回路と、電流制御用ＴＦＴと、発光素子とを有する画素が複数設けられた発光装置の駆動方法であって、
前記ｎ個の第１スイッチング用ＴＦＴが順にオンになることで、前記ｎ個の第１メモリのそれぞれに、ｎビットのデジタルビデオ信号が順に書き込まれ、
前記ｎ個の第２スイッチング用ＴＦＴが一斉にオンになることで、前記ｎ個の第１メモリのそれぞれに書き込まれたｎビットのデジタルビデオ信号は、前記ｎ個の第２メモリのそれぞれに一斉に書き込まれ、
前記ｎ個の第２メモリのそれぞれに書き込まれたｎビットのデジタルビデオ信号は、前記信号生成部に入力され、
リセット信号によって前記カウンタ回路から周波数の異なるｎ個のカウンタ信号の出力が開始され、
前記ｎ個のカウンタ信号は前記信号生成部に入力され、
前記信号生成部は、前記信号生成部に入力される前記ｎビットのデジタルビデオ信号と、前記信号生成部に入力されるｎ個のカウンタ信号とを比較し、合致するかしないか判断し、
前記ｎ個のカウンタ信号の出力が開始されてから、前記信号生成部に入力されたｎビットのデジタルビデオ信号と、ｎ個のカウンタ信号とが合致するまでの期間、前記電流制御用ＴＦＴをオンにし、
前記電流制御用ＴＦＴがオンになることで、前記発光素子が発光することを特徴とする発光装置の駆動方法。
【請求項２０】
請求項１９において、前記電流制御用ＴＦＴがｎチャネル型ＴＦＴであることを特徴とする発光装置の駆動方法。
【請求項２１】
請求項１２乃至請求項２０のいずれか一において、
前記信号生成部はＮＯＲと、ｎ個のエクスクルーシブＯＲとを有しており、
前記ｎ個のエクスクルーシブＯＲがぞれぞれ有する２つの入力端子のうち、一方の入力端子には、前記信号生成部に入力される前記ｎビットのデジタルビデオ信号が入力され、もう一方の入力端子には前記ｎ個のカウンタ信号が入力され、
前記ｎ個のエクスクルーシブＯＲがそれぞれ有する出力端子は、全て前記ＮＯＲの入力端子に接続されており、
前記ＮＯＲの出力端子から出力される信号によって、前記信号生成部に入力される前記ｎビットのデジタルビデオ信号と、前記信号生成部に入力されるｎ個のカウンタ信号とが合致するかしないかが判断されることを特徴とする発光装置の駆動方法。
【請求項２２】
請求項１２乃至請求項２１のいずれか一において、
前記信号生成部はＲ−Ｓフリップフロップ回路を有しており、
前記Ｒ−Ｓフリップフロップ回路が有する２つの入力端子のうち、いずれか一方の入力端子にはリセット信号が入力され、もう一方の入力端子には、前記信号生成部に入力される前記ｎビットのデジタルビデオ信号と、前記信号生成部に入力されるｎ個のカウンタ信号とが合致するかしないか判断した信号が入力され、
前記Ｒ−Ｓフリップフロップ回路が有する出力端子から出力される信号によって、前記ｎ個のカウンタ信号の出力が開始されてから、前記信号生成部に入力されたｎビットのデジタルビデオ信号と、ｎ個のカウンタ信号とが合致するまでの期間、前記発光素子を発光させることを特徴とする発光装置の駆動方法。
【請求項２３】
請求項１２乃至請求項２２のいずれか一において、前記第１メモリまたは前記第２メモリがＳＲＡＭであることを特徴とする発光装置の駆動方法。
【請求項２４】
請求項１２乃至請求項２３のいずれか一において、前記カウンタ回路には、クロック信号と、前記クロック信号の極性を反転させた信号とが入力されることを特徴とする発光装置の駆動方法。
【請求項２５】
請求項２４において、前記ｎ個のカウンタ信号の周波数は、高いほうから順に、前記カウンタ回路に入力されたクロック信号の周波数の１／２、１／２2、…、１／２nに相当することを特徴とする発光装置の駆動方法。
【請求項２６】
請求項１２乃至２５のいずれか一において、
前記発光素子が発光する期間は、１フレーム期間において連続して出現することを特徴とする発光装置の駆動方法。
【請求項２７】
請求項１２乃至２６のいずれか一において、
連続して出現するフレーム期間では、前記発光素子が発光する期間が続けて出現しないことを特徴とする発光装置の駆動方法。
【請求項２８】
請求項１２乃至２７のいずれか一において、前記ビデオ信号の各ビットが有する上等と、前記周波数の異なるｎ個のカウンタ信号の各ビットが有する情報とが合致するまでの期間、前記発光素子を発光させることを特徴とする発光装置の駆動方法。
【請求項２９】
液晶セルと、デジタルビデオ信号を記憶する手段と、前記記憶されたデジタルビデオ信号が有する画像情報に基づいて前記液晶セルがオンになる期間を定める手段とを、画素内に有することを特徴とする液晶表示装置。
【請求項３０】
液晶セルと、デジタルビデオ信号を記憶する手段と、前記記憶されたデジタルビデオ信号が有する画像情報に基づいて前記液晶セルがオンになる期間を定める手段とを画素内に有する液晶表示装置であって、
前記液晶セルがオンになる期間は、１フレーム期間において連続して出現することを特徴とする液晶表示装置。
【請求項３１】
液晶セルと、
ｎ個の第１メモリと、
前記ｎ個の第１メモリのそれぞれに書き込まれたｎビットのデジタルビデオ信号を、それぞれ記憶するｎ個の第２メモリと、
前記ｎ個の第２メモリに記憶されたデジタルビデオ信号が有する画像情報に基づいて前記液晶セルがオンになる期間を定める手段と、
を有する画素が複数備えられていることを特徴とする液晶表示装置。
【請求項３２】
液晶セルと、
ｎ個のメモリと、
前記ｎ個のメモリのそれぞれに書き込まれたｎビットのデジタルビデオ信号が有する画像情報に基づいて前記液晶セルがオンになる期間を定める手段と、
を有する画素が複数備えられていることを特徴とする液晶表示装置。
【請求項３３】
請求項２９乃至請求項３２のいずれか一において、前記液晶表示装置を有することを特徴とする電子機器。
【請求項３４】
請求項３３において、表示装置、デジタルスチルカメラ、ノート型パーソナルコンピュータ、モバイルコンピュータ、画像再生装置、ゴーグル型ディスプレイ、ビデオカメラまたは携帯電話であることを特徴とする電子機器。